(57)【要約】      （修正有）【課題】初心者がより快速的にプレーを上達にすることができるサクソフォーンの構造を提供する。【解決手段】本管３０上に若干の響き口が設けられ、本管上に上の８度音程の上げ調響き口が設けられ、また、前記の響き口と上げ調響き口上にトーンによって制御される響き口蓋が設けられ、上記トーンが本管上に設けられ、特徴として、ホーン５０上に、直径が３２ｍｍ以上である開放響き口５１が曲げ管４０の近くに設置され、上記開放響き口の設計により、一部の調音孔や対応するトーンチューニングの設置を省略できる。【選択図】図６
0003151001.tif 000002
【実用新案登録請求の範囲】
【請求項１】
主として、本管の下方に、曲げ管が接続され、曲げ管のもう一端に、ホーンが接続されるサクソフォーンであって、
本管の上に、若干の響き口が設けられ、また、本管上に、上の８度音程の上げ調響き口と上げトーンチューニングが設けられ、そして、前記の響き口と上げ調響き口上に、トーンと上げトーンチューニングによって制御される響き口蓋が設けられ、上記トーンが、本管上に設けられ、また、上記トーンに、左指トーン領域と左手トーンチューニング領域領域、左小指トーン領域、右指トーン領域、右手トーンチューニング領域及び右小指トーン領域が含まれ、上記ホーンに、開放響き口が設けられ、また、上記開放響き口が、曲げ管の近くに位置する、
ことを特徴とするサクソフォーンの構造。
【請求項２】
上記左指トーン領域が、ＣトーンとＢトーン、Ｂｂ  ｂｉｓトーン、Ａトーン及びＧトーンから構成されることを特徴とする請求項１に記載のサクソフォーンの構造。
【請求項３】
上記左手トーンチューニング領域が、Ｔｏｐ  Ｄトーンであることを特徴とする請求項１に記載のサクソフォーンの構造。
【請求項４】
上記左小指トーンが、Ｇ＃トーンとＬｏｗ  Ｃ＃トーンでありながら、楕円形状のトーンであることを特徴とする請求項１に記載のサクソフォーンの構造。
【請求項５】
上記右手トーンチューニング領域が、ｓｉｄｅ  Ｂｂトーンであることを特徴とする請求項１に記載のサクソフォーンの構造。
【請求項６】
上記右小指トーン領域が、Ｅｂ／Ｄ＃トーンとＬｏｗ  Ｃトーンであり、Ｅｂ／Ｄ＃トーンが、やや楕円形状のトーンで、Ｌｏｗ  Ｃトーンが、やや長くて一側が湾曲度を有するトーンであることを特徴とする請求項１に記載のサクソフォーンの構造。
【請求項７】
上記開放響き口の直径が、３２ｍｍ以上であることを特徴とする請求項１に記載のサクソフォーンの構造。
【考案の詳細な説明】
【技術分野】
【０００１】
本考案は、サクソフォーンの構造に関し、特に、初心者に適合するサクソフォーンであって、トーンを低減する設計により、初心者が、より快速的に、プレーを上達にすることができるサクソフォーン構造に関する。
【背景技術】
【０００２】
一般のサクソフォーンは、主として、口金とブローパイプ、本管、曲げ管及びホーンから構成され、図１のように、上記本管１０の一側に、若干の響き口が設けられ、本管上に、上の８度音程の上げ調響き口と上げトーンチューニング１１が設けられ、そして、前記の響き口と上げ調響き口上に、トーンによって制御される響き口蓋１２が設けられ、上記トーンが、本管上に設けられ、上記トーンに、左指トーン領域１３（一般として、円形状ボタンである）と左手トーンチューニング領域１４（一側に設置されたやや長い楕円形状である）、左小指トーン領域１５、右指トーン領域１６（一般として、円形状ボタンである）、右手トーンチューニング領域１７（一側に設置されたやや長い楕円形状である）及び右小指トーン領域１８（右手トーンチューニング領域１７の下方に設置される）が含まれ、上記ホーン２０に、トーンに合わせて響き口２１が設けられる。
【０００３】
上記のように、奏者が、トーンに合わせて口金に対して演奏すると、響き口蓋の開閉を制御して、対応する音階を演奏できるが、その上のトーンが多いため、一般の奏者としては、左、右指トーン領域のトーン１３、１６の主なトーン（１３３、１３４、１３５、１３６、１３７、１６１、１６２、１６３）及び、左親指の上げトーンチューニング１１等だけをよく使用し、沢山の音階が使用されず、例えば、左手トーンチューニング領域１４のＴＯＰ  Ｄ＃トーン１４１やＴＯＰ  Ｆトーン１４２と、左小指トーン領域１５のＬＯＷ  Ｂトーン１５１とＬＯＷ  Ｂｂトーン１５２（図３のように）、そして、右手トーンチューニング領域１７のＴＯＰ  Ｅ  ｌｅｖｅｒ  トーン１７１やＳＩＤＥ  Ｃトーン１７２とＴＯＰ  Ｆ＃  ｌｅｖｅｒトーン１７４及びＳＩＤＥ  Ｆ＃トーン１７５等であり、また、サクソフォーン上にある多すぎる響き口とトーンは、初心者にとって迷惑のことになり、また、初心者にとって、最も重要なのは、その上のボタンの使用と気の調整である。
【０００４】
また、常用である右小指トーン１８は、Ｅｂ／Ｄ＃トーン１８１とＬＯＷ  Ｃトーン１８２からなり（図２のように）、上記トーン領域も、初心者によってよく使用するトーンであり、二つの形状やサイズが同じであるボタンによって設置されるため、初心者が、認識し難くなり、そのため、間違うこともよくある。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の主な目的は、初心者に向くサクソフォーンを提供し、トーンを低減する設計により、主として、初心者の殆ど使用せずトーンを低減することにより、その響き口を減少し、響き口を減少しても、その基本音色が維持され、そのため、初心者が、快速的に基本のサクソフォーン演奏技術を身に付けることができる。
【０００７】
本考案の他の目的は、響き口とトーンが減少されることにより、作製がより簡単になり、そのため、製造コストや重量が低減されることができるサクソフォーンを提供する。
【０００８】
本考案の更に他の目的は、右小指トーン領域が、大小斜線のように設置されて、使用する時、より便利になるサクソフォーンを提供する。
【課題を解決するための手段】
【０００９】
請求項１の考案は、主として、本管の下方に、曲げ管が接続され、曲げ管のもう一端に、ホーンが接続されるサクソフォーンであって、本管の上に、若干の響き口が設けられ、また、本管上に、上の８度音程の上げ調響き口と上げトーンチューニングが設けられ、そして、前記の響き口と上げ調響き口上に、トーンと上げトーンチューニングによって制御される響き口蓋が設けられ、上記トーンが、本管上に設けられ、また、上記トーンに、左指トーン領域と左手トーンチューニング領域、左小指トーン領域、右指トーン領域、右手トーンチューニング領域及び右小指トーン領域が含まれ、上記ホーンに、開放響き口が設けられ、また、上記開放響き口が、曲げ管の近くに位置する、ことを特徴とするサクソフォーンの構造である。
【００１０】
請求項２の考案は、上記左指トーン領域が、ＣトーンとＢトーン、Ｂｂ  ｂｉｓトーン、Ａトーン及びＧトーンから構成されることを特徴とする請求項１に記載のサクソフォーンの構造である。
【００１１】
請求項３の考案は、上記左手トーンチューニング領域が、Ｔｏｐ  Ｄトーンであることを特徴とする請求項１に記載のサクソフォーンの構造である。
【００１２】
請求項４の考案は、上記左小指トーンが、Ｇ＃トーンとＬｏｗ  Ｃ＃トーンでありながら、楕円形状のトーンであることを特徴とする請求項１に記載のサクソフォーンの構造である。
【００１３】
請求項５の考案は、上記右手トーンチューニング領域が、ｓｉｄｅ  Ｂｂトーンであることを特徴とする請求項１に記載のサクソフォーンの構造である。
【００１４】
請求項６の考案は、上記右小指トーン領域が、Ｅｂ／Ｄ＃トーンとＬｏｗ  Ｃトーンであり、Ｅｂ／Ｄ＃トーンが、やや楕円形状のトーンで、Ｌｏｗ  Ｃトーンが、やや長くて一側が湾曲度を有するトーンであることを特徴とする請求項１に記載のサクソフォーンの構造である。
【００１５】
請求項７の考案は、上記開放響き口の直径が、３２ｍｍ以上であることを特徴とする請求項１に記載のサクソフォーンの構造である。
【図面の簡単な説明】
【００１６】
【図１】従来の立体図
【図２】従来の局部概念図１
【図３】従来の局部概念図２
【図４】本考案の立体図
【図５】本考案の局部概念図１
【図６】本考案の局部概念図２
【図７】本考案の局部概念図３
【図８】本考案の局部概念図４
【００１７】
以下、図面を参照しながら、本考案の特徴や技術内容について、詳しく説明するが、それらの図面等は、参考や説明のためであり、本考案は、それによって制限されることが無い。
【考案を実施するための形態】
【００１８】
本考案は、主として、本管３０の下方に、曲げ管４０が接続され、曲げ管４０のもう一端に、ホーン５０が接続され、図４のように、本管３０の上に、若干の響き口が設けられ、本管３０上に、上の８度音程の上げ調響き口と上げトーンチューニング３１が設けられ、そして、前記の各響き口と上げ調響き口上に、トーンや上げトーンチューニング３１によって制御される響き口蓋３２が設けられ、上記トーンが、本管３０上に設けられる。
【００１９】
また、上記トーンに、左指トーン領域３３と左手トーンチューニング領域３４、左小指トーン領域３５、右指トーン領域３６、右手トーンチューニング領域３７及び右小指トーン領域３８が含まれ、左指トーン領域３３に、Ｃトーン３３１やＢトーン３３２、Ｂｂ  ｂｉｓトーン３３３、Ａトーン３３４及びＧトーン３３５が含まれ、左手トーンチューニング領域３４に、Ｔｏｐ  Ｄトーン３４１（図５のように）が含まれ、左小指トーン３５に、楕円形状のトーン（図８のように）であるＧ＃トーン３５１、Ｌｏｗ  Ｃ＃トーン３５２が含まれ、右指トーン領域３６に、Ｆトーン３６１やＥトーン３６２及びＤトーン３６３が含まれ、右手トーンチューニング領域３７に、ｓｉｄｅ  Ｂｂトーン３７１が含まれ、右小指トーン領域３８に、Ｅｂ／Ｄ＃トーン３８１とＬｏｗ  Ｃトーン３８２が含まれる。
【００２０】
上記ホーン５０は、直径が３２ｍｍ  以上である開放響き口５１が、曲げ管４０の近くに設けられる（図６のように）。
【００２１】
上げトーンチューニングの設置を減少することにより、上げ調響き口の設置が提言され、従来より、左手トーンチューニング領域１４のＴＯＰ  Ｄ＃トーン１４１とＴＯＰ  Ｆトーン１４２や左小指トーン領域１５のＬＯＷ  Ｂトーン１５１やＬＯＷ  Ｂｂトーン１５２、右手トーンチューニング領域１７のＴＯＰ  Ｅトーン１７１やＳＩＤＥ  Ｃトーン１７２、ＴＯＰ  Ｆ＃トーン１７３及びＳＩＤＥ  Ｆ＃トーン１７５等が低減され（図１と図３のように）、そのため、左右指によって制御されるトーンの数が低減されて、初心者が、より快速的に、トーンを暗記でき、また、その操作がより上達でき、より正確に音階を演奏できる。
【００２２】
また、図７のように、本考案は、右小指トーン領域３８のＥｂ／Ｄ＃トーン３８１とＬｏｗ  Ｃトーン３８２が、大小斜線のように設置され、Ｅｂ／Ｄ＃トーン３８１が、やや楕円形状のトーンで、Ｌｏｗ  Ｃトーン３８２が、細長くて、一側湾曲度を有するトーンであるため、奏者が簡単に認識でき、よりスムーズに演奏できる。
【００２３】
そのため、本考案は、より進歩的かつより実用的で、法に従って実用新案登録請求を出願する。
【００２４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２５】
従来
１０    本管
１１    上げトーンチューニング
１２    響き口蓋
１３    左指トーン領域
１３３、１３４、１３５、１３６、１３７    主なトーン
１４    左手トーンチューニング領域
１４１  ＴＯＰ  Ｄ＃トーン
１４２  ＴＯＰ  Ｆトーン
１５    左小指トーン領域
１５１  ＬＯＷ  Ｂトーン
１５２  ＬＯＷ  Ｂｂトーン
１６    右指トーン領域
１６１、１６２、１６３      主なトーン
１７    右手トーンチューニング領域
１７１  ＴＯＰ  Ｅ  ｌｅｖｅｒトーン
１７２  ＳＩＤＥ  Ｃトーン
１７３  Ｃトーン
１７４  ＴＯＰ  Ｆ＃  ｌｅｖｅｒトーン
１７５  ＳＩＤＥ  Ｆ＃トーン
１８    右小指トーン領域
１８１  Ｅｂ／Ｄ＃トーン
１８２  ＬＯＷ  Ｃトーン
２０    ホーン
２１    響き口
本考案
３０    本管
３１    上げトーンチューニング
３２    孔音蓋
３３    左指トーン領域
３３１  Ｃトーン
３３２  Ｂトーン
３３３  Ｂｂ  ｂｉｓトーン
３３４  Ａトーン
３３５  Ｇトーン
３４    左手トーンチューニング領域
３４１  Ｔｏｐ  Ｄトーン
３５    左小指トーン領域
３５１  Ｇ＃トーン
３５２  Ｌｏｗ  Ｃ＃トーン
３６    右指トーン領域
３６１  Ｆトーン
３６２  Ｅトーン
３６３  Ｄ  トーン
３７    右手トーンチューニング領域
３７１  ｓｉｄｅ  Ｂｂ  トーン
３８    右小指トーン領域
３８１  Ｅｂ／Ｄ＃トーン
３８２  Ｌｏｗ  Ｃトーン
４０    曲げ管
５０    ホーン
【図１】
0003151001.tif 000003
【図２】
0003151001.tif 000004
【図３】
0003151001.tif 000005
【図４】
0003151001.tif 000006
【図５】
0003151001.tif 000007
【図６】
0003151001.tif 000008
【図７】
0003151001.tif 000009
【図８】
0003151001.tif 000010